【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
くるみ製本の中紙として利用される印刷用紙に印刷を行う印刷装置であって、
前記印刷を行うための設定をユーザインタフェースでユーザにより行わせる際に、前記くるみ製本の表紙として利用される印刷用紙と少なくとも同じ用紙サイズの印刷用紙が前記ユーザインタフェースで選択されないよう制御する制御手段を有し、
前記制御手段は、
前記くるみ製本の表紙として利用される印刷用紙よりも少なくともスモールサイズの印刷用紙が前記ユーザインタフェースで選択された場合に前記印刷を行うよう制御することを特徴とする印刷装置。
【請求項２】
くるみ製本の中紙として利用される印刷用紙に印刷を行う印刷装置であって、
前記印刷を行うための設定をユーザインタフェースでユーザにより行わせる際に、前記くるみ製本の表紙として利用される印刷用紙と少なくとも同じ用紙サイズの印刷用紙が前記ユーザインタフェースで選択されないよう制御する制御手段を有し、
前記制御手段は、
前記くるみ製本の表紙として利用される印刷用紙よりも少なくともスモールサイズの印刷用紙が前記ユーザインタフェースで選択された場合に前記印刷を行うよう制御し、
前記制御手段は、
前記くるみ製本の表紙として利用される印刷用紙よりも少なくともスモールサイズの印刷用紙が前記ユーザインタフェースで選択されても、前記くるみ製本の中紙として利用される印刷用紙の合計枚数が前記くるみ製本の１セットあたりの許容枚数に該当しない場合は前記印刷を中止するよう制御することを特徴とする印刷装置。
【請求項３】
くるみ製本の中紙として利用される印刷用紙に印刷を行う印刷装置であって、
前記印刷を行うための設定をユーザインタフェースでユーザにより行わせる際に、前記くるみ製本の表紙として利用される印刷用紙の半分よりも大きい用紙サイズの印刷用紙がユーザインタフェースで選択されないよう制御する制御手段を有し、
前記制御手段は、
前記くるみ製本の表紙として利用される印刷用紙の半分以下の用紙サイズの印刷用紙が前記ユーザインタフェースで選択された場合に前記印刷を行うよう制御することを特徴とする印刷装置。
【請求項４】
くるみ製本の中紙として利用される印刷用紙に印刷を行う印刷装置であって、
前記印刷を行うための設定をユーザインタフェースでユーザにより行わせる際に、前記くるみ製本の表紙として利用される印刷用紙の半分よりも大きい用紙サイズの印刷用紙がユーザインタフェースで選択されないよう制御する制御手段を有し、
前記制御手段は、
前記くるみ製本の表紙として利用される印刷用紙の半分以下の用紙サイズの印刷用紙が前記ユーザインタフェースで選択された場合に前記印刷を行うよう制御し、
前記制御手段は、
前記くるみ製本の表紙として利用される印刷用紙の半分以下の用紙サイズの印刷用紙が前記ユーザインタフェースで選択されても、前記くるみ製本の中紙として利用される印刷用紙の合計枚数が前記くるみ製本の１セットあたりの許容枚数に該当しない場合は前記印刷を中止するよう制御することを特徴とする印刷装置。
【請求項５】
請求項１乃至４の何れかに記載の印刷装置であって、
前記制御手段は、
前記くるみ製本の表紙として利用される印刷用紙にも印刷を行わせるための設定が前記ユーザインタフェースにて行われた場合には前記くるみ製本の表紙として利用される印刷用紙にも印刷を行うよう制御し、
前記制御手段は、
前記くるみ製本の表紙として利用される印刷用紙に印刷を行わない場合でも、前記前記くるみ製本の表紙として利用する印刷用紙の用紙サイズを特定するための設定については前記ユーザインタフェースで行わせるよう制御することを特徴とする印刷装置。
【請求項６】
請求項１乃至５の何れかに記載の印刷装置であって、
前記制御手段は、
前記くるみ製本の中紙として利用される印刷用紙に印刷を行う場合、少なくとも前記くるみ製本の中紙として利用される印刷用紙に両面印刷を行うよう制御することを特徴とする印刷装置。
【請求項７】
請求項１乃至６の何れかに記載の印刷装置であって、
前記制御手段は、
前記ユーザインタフェースにより前記くるみ製本の表紙として利用可能な印刷用紙の選択候補と区別して前記くるみ製本の中紙として利用可能な印刷用紙の選択候補を提示するよう制御することを特徴とする印刷装置。
【請求項８】
請求項１乃至７の何れかに記載の印刷装置であって、
前記制御手段は、
前記くるみ製本の表紙として利用不可の印刷用紙が如何なる用紙サイズの印刷用紙なのかをユーザが識別できるように構成されたユーザインタフェース画面を前記ユーザインタフェースで表示するよう制御することを特徴とする印刷装置。
【請求項９】
請求項１乃至８の何れかに記載の印刷装置であって、
前記制御手段は、
前記くるみ製本の中紙として利用不可の印刷用紙が如何なる用紙サイズの印刷用紙なのかをユーザが識別できるように構成されたユーザインタフェース画面を前記ユーザインタフェースで表示するよう制御することを特徴とする印刷装置。
【請求項１０】
請求項１乃至９の何れかに記載の印刷装置であって、
前記制御手段は、
前記くるみ製本の中紙として利用する印刷用紙をユーザにより選択させるためのユーザインタフェース画面で前記中紙として利用不可の印刷用紙を選択するための表示キーが無効表示されるよう制御することを特徴とする印刷装置。
【請求項１１】
請求項１乃至１０の何れかに記載の印刷装置であって、
前記ユーザインタフェースとして少なくとも前記印刷装置のユーザインタフェースが適用されることを特徴とする印刷装置。
【請求項１２】
請求項１乃至１１の何れかに記載の印刷装置であって、
前記ユーザインタフェースとして少なくとも前記印刷装置とデータ通信可能な外部装置のユーザインタフェースが適用されることを特徴とする印刷装置。
【請求項１３】
請求項１乃至１２の何れかに記載の印刷装置であって、
前記制御手段は、
原稿読取装置からの印刷データを前記くるみ製本の中紙として利用される印刷用紙に印刷するよう制御することを特徴とする印刷装置。
【請求項１４】
請求項１乃至１３の何れかに記載の印刷装置であって、
前記制御手段は、
前記印刷装置のプリンタドライバがインストールされたホストコンピュータからの印刷データを前記くるみ製本の中紙として利用される印刷用紙に印刷するよう制御することを特徴とする印刷装置。
【請求項１５】
請求項１乃至１４の何れかに記載の印刷装置であって、
前記制御手段は、
原稿読取装置およびホストコンピュータの少なくとも何れかからの印刷データを複数記憶可能な記憶手段に対して前記くるみ製本の中紙として利用される印刷用紙に印刷すべき印刷データが記憶された後に、前記ユーザインタフェースで前記くるみ製本の中紙として利用される印刷用紙に印刷を行うための前記設定をユーザにより行わせるよう制御することを特徴とする印刷装置。
【請求項１６】
請求項１乃至１５の何れかに記載の印刷装置であって、
前記くるみ製本の表紙として利用される印刷用紙として、少なくとも、前記くるみ製本の中紙として利用される印刷用紙の２倍の用紙サイズの所定の印刷用紙か、当該所定の印刷用紙よりも更に背表紙サイズ分大きいサイズの印刷用紙が適用されることを特徴とする印刷装置。
【請求項１７】
くるみ製本の中紙として利用される印刷用紙に印刷を行う印刷装置によって前記印刷を行わせるための制御方法であって、
前記制御方法は、
前記印刷を行うための設定をユーザインタフェースでユーザにより行わせる際に、前記くるみ製本の表紙として利用される印刷用紙と少なくとも同じ用紙サイズの印刷用紙が前記ユーザインタフェースで選択されないよう制御し、
前記制御方法は、
前記くるみ製本の表紙として利用される印刷用紙よりも少なくともスモールサイズの印刷用紙が前記ユーザインタフェースで選択された場合に前記印刷を前記印刷装置で行わせるよう制御することを特徴とする制御方法。
【請求項１８】
くるみ製本の中紙として利用される印刷用紙に印刷を行う印刷装置によって前記印刷を行わせるための制御方法であって、
前記制御方法は、
前記印刷を行うための設定をユーザインタフェースでユーザにより行わせる際に、前記くるみ製本の表紙として利用される印刷用紙と少なくとも同じ用紙サイズの印刷用紙が前記ユーザインタフェースで選択されないよう制御し、
前記制御方法は、
前記くるみ製本の表紙として利用される印刷用紙よりも少なくともスモールサイズの印刷用紙が前記ユーザインタフェースで選択された場合に前記印刷を前記印刷装置で行わせるよう制御し、
前記制御方法は、
前記くるみ製本の表紙として利用される印刷用紙よりも少なくともスモールサイズの印刷用紙が前記ユーザインタフェースで選択されても、前記くるみ製本の中紙として利用される印刷用紙の合計枚数が前記くるみ製本の１セットあたりの許容枚数に該当しない場合は前記印刷を中止するよう制御することを特徴とする制御方法。
【請求項１９】
くるみ製本の中紙として利用される印刷用紙に印刷を行う印刷装置によって前記印刷を行わせるための制御方法であって、
前記制御方法は、
前記印刷を行うための設定をユーザインタフェースでユーザにより行わせる際に、前記くるみ製本の表紙として利用される印刷用紙の半分よりも大きい用紙サイズの印刷用紙がユーザインタフェースで選択されないよう制御し、
前記制御方法は、
前記くるみ製本の表紙として利用される印刷用紙の半分以下の用紙サイズの印刷用紙が前記ユーザインタフェースで選択された場合に前記印刷を前記印刷装置で行わせるよう制御することを特徴とする制御方法。
【請求項２０】
くるみ製本の中紙として利用される印刷用紙に印刷を行う印刷装置によって前記印刷を行わせるための制御方法であって、
前記制御方法は、
前記印刷を行うための設定をユーザインタフェースでユーザにより行わせる際に、前記くるみ製本の表紙として利用される印刷用紙の半分よりも大きい用紙サイズの印刷用紙がユーザインタフェースで選択されないよう制御し、
前記制御方法は、
前記くるみ製本の表紙として利用される印刷用紙の半分以下の用紙サイズの印刷用紙が前記ユーザインタフェースで選択された場合に前記印刷を前記印刷装置で行わせるよう制御し、
前記制御方法は、
前記くるみ製本の表紙として利用される印刷用紙の半分以下の用紙サイズの印刷用紙が前記ユーザインタフェースで選択されても、前記くるみ製本の中紙として利用される印刷用紙の合計枚数が前記くるみ製本の１セットあたりの許容枚数に該当しない場合は前記印刷を中止するよう制御することを特徴とする制御方法。
【請求項２１】
請求項１７乃至２０の何れかに記載の制御方法をコンピュータに実行させるためのコンピュータ実行可能なプログラム。
【手続補正２】
【補正対象書類名】明細書
【補正対象項目名】発明の名称
【補正方法】変更
【補正の内容】
【発明の名称】印刷装置、制御方法、プログラム
【手続補正３】
【補正対象書類名】明細書
【補正対象項目名】０００１
【補正方法】変更
【補正の内容】
【０００１】
本発明は、くるみ製本の中紙として利用される印刷用紙に印刷を行う印刷装置、制御方法、プログラム等に関する。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】変更
【補正の内容】
【００２０】
そこで、本発明は、上述の問題を解決できる、印刷装置、制御方法、プログラムを提供することを目的とする。
【手続補正６】
【補正対象書類名】明細書
【補正対象項目名】００２１
【補正方法】変更
【補正の内容】
【００２１】
又、本発明は、例えば、ユーザがくるみ製本の中紙としてラージサイズの用紙への印刷を指定してしまうといった不具合を抑え、くるみ製本の中紙として利用される印刷用紙に印刷を行うことが可能な印刷装置、制御方法、プログラムを提供することを目的とする。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】変更
【補正の内容】
【００２６】
又、本発明は、例えば、くるみ製本の中紙として利用される印刷用紙に印刷を実行するうえで、多種多様な印刷出力形態をユーザが希望する可能性も考慮して、このようなニーズにも対処可能になる印刷装置、制御方法、プログラムを提供することを目的とする。
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】変更
【補正の内容】
【００２８】
又、本発明は、例えば、本システムは外部装置からも利用することができるので、本システムの利用効率を更に向上させる事が出来る印刷装置、制御方法、プログラムを提供することを目的とする。
【手続補正１４】
【補正対象書類名】明細書
【補正対象項目名】００２９
【補正方法】変更
【補正の内容】
【００２９】
このように、本発明は、例えば、くるみ製本の中紙として利用される印刷用紙に印刷を行う印刷装置を実際に製品実用化するにあたり、従来技術として想定したような問題が発生することを未然に防止するように働き、装置にて意図しないトラブルが起きたり、作業者に余計な負担をかける等の問題が起こるのを未然に防止するように働く、くるみ製本の中紙として利用される印刷用紙に印刷を行う印刷装置として、使い勝手の良い便利な、デジタルプリンティングシステム等の印刷装置、制御方法、プログラムを提供することを目的とする。
【手続補正１５】
【補正対象書類名】明細書
【補正対象項目名】００３０
【補正方法】変更
【補正の内容】
【００３０】
そして、例えば、くるみ製本についての様々なユーザからの、様々なニーズに対して、柔軟に対応することも可能となり、このよう効果を、上述のような不具合が生じる事無く、享受可能になる、印刷装置、制御方法、プログラムを提供することを目的とする。
【手続補正１６】
【補正対象書類名】明細書
【補正対象項目名】００３１
【補正方法】変更
【補正の内容】
【００３１】
本発明は、くるみ製本の中紙として利用される印刷用紙に印刷を行う印刷装置であって、前記印刷を行うための設定をユーザインタフェースでユーザにより行わせる際に、前記くるみ製本の表紙として利用される印刷用紙と少なくとも同じ用紙サイズの印刷用紙が前記ユーザインタフェースで選択されないよう制御する制御手段を有し、前記制御手段は、前記くるみ製本の表紙として利用される印刷用紙よりも少なくともスモールサイズの印刷用紙が前記ユーザインタフェースで選択された場合に前記印刷を行うよう制御することを特徴とする。
また、本発明は、くるみ製本の中紙として利用される印刷用紙に印刷を行う印刷装置であって、前記印刷を行うための設定をユーザインタフェースでユーザにより行わせる際に、前記くるみ製本の表紙として利用される印刷用紙と少なくとも同じ用紙サイズの印刷用紙が前記ユーザインタフェースで選択されないよう制御する制御手段を有し、前記制御手段は、前記くるみ製本の表紙として利用される印刷用紙よりも少なくともスモールサイズの印刷用紙が前記ユーザインタフェースで選択された場合に前記印刷を行うよう制御し、前記制御手段は、前記くるみ製本の表紙として利用される印刷用紙よりも少なくともスモールサイズの印刷用紙が前記ユーザインタフェースで選択されても、前記くるみ製本の中紙として利用される印刷用紙の合計枚数が前記くるみ製本の１セットあたりの許容枚数に該当しない場合は前記印刷を中止するよう制御することを特徴とする。
また、本発明は、くるみ製本の中紙として利用される印刷用紙に印刷を行う印刷装置であって、前記印刷を行うための設定をユーザインタフェースでユーザにより行わせる際に、前記くるみ製本の表紙として利用される印刷用紙の半分よりも大きい用紙サイズの印刷用紙がユーザインタフェースで選択されないよう制御する制御手段を有し、前記制御手段は、前記くるみ製本の表紙として利用される印刷用紙の半分以下の用紙サイズの印刷用紙が前記ユーザインタフェースで選択された場合に前記印刷を行うよう制御することを特徴とする。
また、本発明は、くるみ製本の中紙として利用される印刷用紙に印刷を行う印刷装置であって、前記印刷を行うための設定をユーザインタフェースでユーザにより行わせる際に、前記くるみ製本の表紙として利用される印刷用紙の半分よりも大きい用紙サイズの印刷用紙がユーザインタフェースで選択されないよう制御する制御手段を有し、前記制御手段は、前記くるみ製本の表紙として利用される印刷用紙の半分以下の用紙サイズの印刷用紙が前記ユーザインタフェースで選択された場合に前記印刷を行うよう制御し、前記制御手段は、前記くるみ製本の表紙として利用される印刷用紙の半分以下の用紙サイズの印刷用紙が前記ユーザインタフェースで選択されても、前記くるみ製本の中紙として利用される印刷用紙の合計枚数が前記くるみ製本の１セットあたりの許容枚数に該当しない場合は前記印刷を中止するよう制御することを特徴とする。
【手続補正１７】
【補正対象書類名】明細書
【補正対象項目名】００３２
【補正方法】変更
【補正の内容】
【００３２】
本発明によれば、例えば、ユーザがくるみ製本の中紙としてラージサイズの用紙への印刷を指定してしまうといった不具合を抑え、くるみ製本の中紙として利用される印刷用紙に印刷を行うことが可能な印刷装置、制御方法、プログラムを提供することが可能となる。
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】変更
【補正の内容】
【００４０】
このように、例えば、くるみ製本の中紙として利用される印刷用紙に印刷を行うことが可能な印刷装置や印刷システムを実際に製品実用化するにあたり、従来技術として想定したような問題が発生することを未然に防止し、装置にて意図しないトラブルが起きたり、作業者に余計な負担をかける等の問題が起こるのを未然に防止し、くるみ製本の中紙として利用される印刷用紙に印刷を実行できる環境を想定した、使い勝手の良い便利な、印刷装置、制御方法、プログラムを提供することが出来る。
【手続補正２６】
【補正対象書類名】明細書
【補正対象項目名】００４１
【補正方法】変更
【補正の内容】
【００４１】
そして、例えば、くるみ製本についての様々なユーザからの、様々なニーズに対して、柔軟に対応することも可能となり、このよう効果を、上述のような不具合が生じる事無く、享受可能になる等の効果を奏する。